(57)【特許請求の範囲】
【請求項１】
照明装置筐体に取り付けられ、複数の直管形ランプが装着されるランプソケットにおいて、
前記ランプソケットは、
前記直管形ランプの一端に設けられた第１の口金を装着可能な第１の受部と、
前記直管形ランプの他端に設けられた第２の口金であって、前記第１の口金とは異なる形状の前記第２の口金を装着可能な第２の受部と、
前記第１の受部と前記第２の受部が一体的に設けられたケースと、
を備え、
前記第１の受部は、前記ケースにおいて前記第２の受部に連設されている
ことを特徴とするランプソケット。
【請求項２】
前記第１の受部は前記第１の口金のピンが接する第１の金属片を有し、前記第２の受部は前記第２の口金のピンが接する第２の金属片を有し、
前記ケース内部で、前記第１の金属片または前記第２の金属片のうち少なくともどちらか１つの金属片がもう１つの金属片の方向に折り曲げられており、
前記第１の金属片及び前記第２の金属片との間に絶縁壁
を備えることを特徴とする請求項１に記載のランプソケット。
【請求項３】
前記第１の受部、及び前記第２の受部が、交互に同数並べられていることを特徴とする請求項１または２に記載のランプソケット。
【請求項４】
請求項１ないし３に記載のランプソケットと、前記ランプソケットが装着される前記照明装置筐体と
を備えることを特徴とする照明装置。
【発明の詳細な説明】
【技術分野】
【０００１】
本発明は、異なる形状の口金を有するランプを装着するランプソケット及び照明装置に関するものである。
【背景技術】
【０００２】
近年、直管蛍光灯ランプの代替品として直管形ＬＥＤランプが使用されており、従来の直管蛍光灯ランプ取り付け用のランプソケットにＧ１３口金が採用されている照明装置が多い。このため、従来の蛍光灯用照明装置に直管形ＬＥＤランプをそのまま取り付けることが可能となっている。しかし、直管形ＬＥＤランプには、電子安定器用、グロー安定器用など装着可能な照明装置が指定されているものが多い。このため、対応していない照明装置に誤ってユーザーが直管形ＬＥＤランプを取り付けた場合、直管形ＬＥＤランプや安定器に支障をきたす恐れがある。
【０００３】
上記のような間違いを防ぐため、従来のＧ１３口金とは異なる新規な口金(例えばＧＸ１６ｔ−５)を備えた直管形ＬＥＤランプ用口金の規格（（社）日本電球工業会規格ＪＥＬ９０７）が公知である。
【０００４】
直管形ＬＥＤランプの形状の詳細については後述するが、長手方向の一方の端部に１つの端子を有した接地側口金、他方の端部に２つの端子を有した給電側口金を備えている（図２（ｂ）、図２（ｃ）参照）。
【０００５】
このため、直管形ＬＥＤランプを照明装置に装着するには、接地側口金、給電側口金にそれぞれ対応する接地側受部、給電側受部を有したランプソケットが必要となり、直管形ＬＥＤランプを１本装着できる照明装置の場合、接地側ランプソケットと給電側ランプソケットが各々１つずつ必要となる。
【０００６】
従来の直管形ＬＥＤランプを２本装着できる照明装置１１０においては、図８に示すように照明装置筐体１１１の長手方向の一端側に、ＬＥＤランプの給電側口金Ｌ型端子が装着される給電用ランプソケット１３０が２つ、他端側に給電用ランプソケット１３０と対向してＬＥＤランプの接地側口金端子が装着される接地用ランプソケット（図示せず）が２つ設けられている。このように給電側口金Ｌ型端子と接地側口金端子が異なる形状であるので、２種類の異なる形状のソケットが照明装置筐体１１１に取り付けられていた（特許文献１参照）。
【先行技術文献】
【特許文献】
【０００７】
【特許文献１】特開２０１２−９４５２号公報（図５）
【発明の概要】
【発明が解決しようとする課題】
【０００８】
しかし、図８に示した２灯用の照明装置１１０では、給電用ランプソケット１３０と接地用ランプソケットを製造する必要があり、２種類の異なる形状のランプソケットを準備するには、製作用の金型が２つ種類必要となり金型のコストがかかるという問題があった。
【０００９】
この発明は上記の課題を解決するものであり、接地側ランプソケットと給電側ランプソケットを一体型の構成とすることにより、ランプソケットの金型数を低減できるランプソケット及びそのランプソケットを備えた照明装置を提供することを目的とする。
【課題を解決するための手段】
【００１０】
本発明のランプソケットは、照明装置筐体に取り付けられ、複数の直管形ランプが装着されるランプソケットにおいて、直管形ランプの一端に設けられた第１の口金を装着可能な第１の受部と、直管形ランプの他端に設けられた第２の口金であって、第１の口金とは異なる形状の第２の口金を装着可能な第２の受部と、第１の受部と第２の受部が一体的に設けられたケースと、を備え、第１の受部は、ケースにおいて第２の受部に連設されているものである。
【発明の効果】
【００１１】
本発明のランプソケットは、ランプの第１の口金を装着する第１の受部と、第１の口金とは異なる形状の第２の口金を装着する第２の受部とを一体型に構成したので、ランプソケットの共通化を図りランプソケットの金型数を低減することができるという効果がある。また、このランプソケットを用いると照明装置を低コスト化できるという効果がある。
【図面の簡単な説明】
【００１２】
【図１】実施の形態１に係る照明装置１０の全体図である。
【図２】（ａ）は照明装置１０に装着する直管形ＬＥＤランプ２０の全体図、（ｂ）は接地側口金２１の拡大図、（ｃ）は給電側口金２４の拡大図である。
【図３】実施の形態１の２灯用ランプソケット３０の分解図である。
【図４】（ａ）は組立後の２灯用ランプソケット３０の正面図、（ｂ）はその背面図である。
【図５】実施の形態１に係る２灯用ランプソケット３０の裏面カバー５０を取り除いた状態の正面図である。
【図６】（ａ）は実施の形態２に係る組立後の４灯用ランプソケット７０の正面図、（ｂ）はその背面図である。
【図７】実施の形態２に係る４灯用ランプソケット７０の裏面カバー８０を取り除いた状態の正面図である。
【図８】従来の２灯用の照明装置１１０を示す。
【発明を実施するための形態】
【００１３】
実施の形態１．
図１は、本発明の実施の形態１に係る照明装置１０を示す全体図である。
照明装置１０は、本体である細長の直方形状の照明装置筐体１１の長手方向両端のそれぞれに２灯用ランプソケット３０が取り付けられており、このそれぞれの両端のランプソケット３０の間に並行に２本の直管形ＬＥＤランプ２０が装着され、この直管形ＬＥＤランプ２０から発光した光を反射する反射部１２を照明装置筐体１１の側面に備えている。また、図示はしないがこの２灯用ランプソケット３０は電源を供給する電源装置に接続されており、後述する内部の受金には電圧が印加されている。
【００１４】
図２（ａ）には、本発明の照明装置１０に装着される直管形ＬＥＤランプ２０の全体図を示している。直管形ＬＥＤランプ２０は、両端が開放された細長で円筒状のランプケース２０ａと、この内部に配置される細長の長方形状のＬＥＤ基板（図示せず）と、ランプケースの両開放部を塞ぐように配置される規格（ＪＥＬ９０７）に対応した接地側口金２１と給電側口金２４とで主に構成されている。ＬＥＤ基板には、長手方向に所定間隔で複数のＬＥＤチップが配置されている。また、これらのＬＥＤチップはＬＥＤ基板上で電気回路（配線）により任意に接続され、最外にある２つのＬＥＤチップはそれぞれ、給電側口金２４の後述する２本の給電ピン２６に電気的に接続されている。
【００１５】
図２（ｂ）は直管形ＬＥＤランプの第１の口金である接地側口金２１の拡大図を示しており、接地側口金２１は、直管形ＬＥＤランプ２０の一端部に取り付けられた接地側受部当接部２２の中央に１つの導電性の接地ピン２３を有する。この第１の口金のピンである接地ピン２３は、ランプ長手方向に延びた円柱形状の円柱部２３ａと、その先端に取り付けられた楕円柱形状の楕円部２３ｂとで構成されており、楕円部２３ｂの短径は円柱部２３ａの断面の円の直径より大きくなるよう寸法が設計されているため、楕円部２３ｂは円柱部２３ａの外周から突出している。接地ピン２３をソケット３０に装着することにより直管形ＬＥＤランプ２０の外郭を接地電位（アース電位）にすることができ、使用者の感電を防ぐことができる。
【００１６】
図２（ｃ）は直管形ＬＥＤランプの第２の口金である給電側口金２４の拡大図を示しており、給電側口金２４には、給電側口金２４の直径方向に沿って台状の給電側受部当接部２５が形成されている。また、ランプ長手方向へ延びる軸部２６ａと、軸部２６ａの先端部から給電側口金２４の外周に向かって垂直方向に延びる抜け止め部２６ｂとから構成されたＬ字形状の給電ピン２６は、２本の給電ピン２６で一対を成し、給電側受部当接部２５の面上に設置されている。この第２の口金のピンである２本の給電ピン２６は最外に位置する２つのＬＥＤチップにそれぞれ電気的に接続されている。このため、直管形ＬＥＤランプ２０を２灯用ランプソケット３０に装着すると、２つの給電ピン２６は、２灯用ランプソケット３０に電源を供給する電源装置(図示なし)に連結され、直管形ＬＥＤランプ２０の内部に収納されているＬＥＤモジュールに電力を供給することが可能となる。
【００１７】
図３は本発明の実施の形態１に係る２灯用ランプソケット３０の分解図を示す。
２灯用ランプソケット３０は、ランプが接続される側である前面に２灯用ランプソケットカバー３１、ランプ長手方向後方に回転子４０と複数の金属片６０、これらを後面から挟み込んで２灯用ランプソケットカバー３１内に収納する裏面カバー５０から構成されている。２灯用ランプソケットカバー３１と裏面カバー５０から２灯用ランプソケット３０の外郭となる本体ケースが構成されている。
【００１８】
複数の金属片６０は、３つの金属片６０ａ，６０ｂ，６０ｃからなり、金属片６０ａ(第２の金属片)は給電接触片６１ａ，給電ピン受金６２ａ，電源端子６３ａから構成されており、金属片６０ｂ(第２の金属片)は給電接触片６１ｂ，給電ピン受金６２ｂ，電源端子６３ｂから構成されており、金属片６０ｃ(第１の金属片)は接地接触片６１ｃ，接地ピン受金６２ｃ，接地端子６３ｃから構成されている。
【００１９】
給電接触片６１ａは細長い直線板の形状をしており、その一端側に給電ピン受金６２ａと他端側に電源端子６３ａを有している。給電接触片６１ａの端部から鉛直上方に向かって、２灯用ランプソケット３０の側面の外側方向に浮き出した形状をした給電ピン受金６２ａが接続されており、端部から鉛直下方に向かって、９０度折れ曲がった後に２灯用ランプソケット３０の側面の外側方向に向かって伸びた電源端子６３ａが接続されている。
【００２０】
同様に、給電接触片６１ｂも細長い直線板の形状をしており、その一端側に給電ピン受金６２ｂと他端側に電源端子６３ｂを有している。この給電接触片６１ｂの端部から鉛直上方に向かって、２灯用ランプソケット３０の側面の内側方向に浮き出した形状をした給電ピン受金６２ｂが接続されており、端部から鉛直下方に向かって、９０度折れ曲がった後に２灯用ランプソケット３０の側面に向かって伸びた電源端子６３ｂが接続されている。給電ピン受金６２ａ，６２ｂをそれぞれ反対側に浮き出る位置に配置したため、給電ピン２６の抜け止め部２６ｂをそれぞれ給電ピン受金６２ａ，６２ｂの間にしっかりと接触させて固定することができる。
【００２１】
なお、金属片６０ａと金属片６０ｂは、給電ピン受金６２ａ，６２ｂの浮き出し方向を除いて、並行して配置されている。また、金属片６０ａの給電接触片６１ａ，給電ピン受金６２ａ，電源端子６３ａは、金属片６０ｂの給電接触片６１ｂ，給電ピン受金６２ｂ，電源端子６３ｂよりも外側に配置されており、それぞれ一定の距離を置いて電気的に絶縁されている。
【００２２】
さらに、金属片６０ｃの接地接触片６１ｃは細長い直線板の形状をしており、その一端に２本の接地ピン受金６２ｃと他端側に１つの接地端子６３ｃを有している。接地接触片６１ｃの端部から鉛直上方に向かって、接地ピン２３を挟み込むために円弧形状をした２本の接地ピン受金６２ｃが接続されている。接地接触片６１ｃの端部から鉛直下方に向かって、９０度折れ曲がった後に２灯用ランプソケット３０の側面に向かって伸びた接地端子６３ｃが接続されている。２つの接地ピン受金６２ｃで略円弧形状を形成しているため、接地ピン２３を接地ピン受金６２ｃにしっかりと挟み込んで取り付けることができる。
【００２３】
また、２灯用ランプソケットカバー３１の前面部分には、回転子４０、及び２つの給電ピン受金６２ａ，６２ｂをランプの内部に収納する開口部３４と、１つの接地ピン受金６２ｃを収納する接地ピン挿入孔３６とがそれぞれ開口されている。さらに、開口部３４は外周の一部が、開口部３４の上方に位置する２灯用ランプソケットカバー３１の上面部分３５ａにまで延長して開口を形成している。給電側口金２４が開口部３４を通り、抜け止め部２６ｂが２つの給電ピン受金６２ａ，６２ｂの間にしっかりと接触して固定されるようになっている。同様に、接地ピン挿入孔３６も接地ピン挿入孔３６の上方に位置する２灯用ランプソケットカバー３１の上面部分３５ｂにまで延長して開口され、接地側口金２１が接地ピン挿入孔３６を通って、接地ピン２３が接地ピン受金６２ｃにしっかりと接触させて固定されるようになっている。
【００２４】
また、２灯用ランプソケットカバー３１には、固定用の貫通孔であるカバー側嵌合部３７が外周に沿って複数形成されている。下方には、四角柱の形状の台が形成され、２灯用ランプソケット３０を支えている。さらに、この四角柱の形状の台内部には絶縁壁６６ａ，６６ｂ，６６ｃが形成されており、電源端子６３ａ，６３ｂ，接地端子６３ｃが電気的に絶縁されている。
【００２５】
回転子４０は、開口部３４より大きくかつ略円板状の受部４１と、この受部４１のランプ長手方向後方に延びる円筒部４２とから構成されている。円筒部４２には受部４１の前面からランプ長手方向後方に向かって円筒部４２の中程まで、回転子４０を二等分するように切り欠いた溝４３が形成されている。
【００２６】
また、裏面カバー５０の内側面５０ａには突起した円形形状をした回転リブ５１が形成されている。この回転リブ５１は、回転子４０の円筒部４２の内径より小さいサイズに設計され、回転子４０の後面に嵌りこむようにして回転子４０の回転案内しズレを防止している。また、ランプ長手方向前方に向かって垂直な凸部であるカバー側嵌合部５２が内側面５０ａの外周に沿って形成されている。これを、２灯用ランプソケットカバー３１に形成された固定用の孔であるカバー側嵌合部３７と嵌合し、略箱体を形成する。
【００２７】
尚、前述した２灯用ランプソケットカバー３１、回転子４０、裏面カバー５０及び絶縁壁６６ａ，６６ｂ，６６ｃは通常、ポリカーボネイドやポリブチレンテレフタレートなどの軽量な熱可塑性樹脂の絶縁材で形成されている。
【００２８】
さらに、２灯用ランプソケットカバー３１の前面と背面カバー５０の間であって回転子４０の円筒部４２と２灯用ランプソケットカバー３１の側壁の間には、直管形ＬＥＤランプ２０へそれぞれ正の電圧及び負の電圧が印加される前述した給電ピン受金６２ａ，６２ｂが配置されている。同様に、２灯用ランプソケットカバー３１と裏面カバー５０の間には、直管形ＬＥＤランプ２０への接地電圧が印加（アース電位に接地）される前述した２つの接地ピン受金６２ｃが配置されている。
【００２９】
さらに、給電ピン受金６２ａから２灯用ランプソケット３０の中央側に折れ曲って下方に伸びた給電接触片６１ａは電源端子６３ａへ接続されており、電源端子６３ａは電源装置（図示せず）へ電気的に接続できるように構成されている。同様に、給電ピン受金６２ｂから２灯用ランプソケット３０の中央側に折れ曲って下方に伸びた給電接触片６１ｂはそれぞれ電源端子６３ｂへ接続されており、電源端子６３ｂは電源装置(図示なし)へ電気的に接続できるように給電側受部３２(第２の受部)が構成されている。
電源装置は電源端子６３ａに正の電圧を印加し、電源端子６３ｂに負の電圧を印加する。この電源端子６３ａと電源端子６３ｂにかかる電圧の差によって、直管形ＬＥＤランプ２０内のＬＥＤモジュール（ＬＥＤ素子）に電流が流れる。
【００３０】
同様に、接地ピン受金６２ｃから２灯用ランプソケット３０の中央側に折れ曲って下方に伸びた接地接触片６１ｃは接地端子６３ｃへ接続されており、接地側受部３３(第１の受部)は接地端子６３ｃが接地電位を与えるアース線などへ電気的に接続できるように構成されている。
【００３１】
なお、給電接触片６１ａ，６１ｂ、接地接触片６１ｃ、給電ピン受金６２ａ，６２ｂ，接地ピン受金６２ｃ、及び電源端子６３ａ，６３ｂ，接地端子６３ｃなどからなる金属片６０は通常、燐青銅などの導電性のある材料で形成されている。
【００３２】
図４は実施の形態１の２灯用ランプソケット３０の組立後を示す斜視図であり、図４（ａ）は正面図、図４（ｂ）はその背面図である。図３で説明したように、２灯用ランプソケット３０は、裏面カバー５０の内側面５０ａにある凸部である裏面カバー側嵌合部５２と２灯用ランプソケットカバー３１の側嵌合部３７とが嵌合されて、略箱体を形成している。
図４（ａ）において、２灯用ランプソケット３０の左側には給電側受部３２が構成されており、２灯用ランプソケット３０の右側には接地側受部３３が構成されている。給電側受部３２には直管形ＬＥＤランプ２０の給電側口金２４が装着され、接地側受部３３には直管形ＬＥＤランプ２０の接地側口金２１が装着される。
【００３３】
図５は実施の形態１に係る２灯用ランプソケット３０の２灯用ランプソケット裏面カバー５０を取り除いた状態の正面図である。前述した給電ピン受金６２ａ、６２ｂは円筒部４２の両脇に配置されており、給電側受部３２内に設けられた２本の給電ピン２６を縦方向に並べた状態から２灯用ランプソケットカバー３１の上面部分３５ａを通って回転子４０の溝４３に挿入した後に、縦から横方向に９０度回転させることによって、抜け止め部２６ｂを給電ピン受金６２ａ、６２ｂにしっかり接続させることができる。
尚、給電ピン受金６２ａ、６２ｂの先端部はそれぞれ２灯用ランプソケットカバー３１の上面部分３５ａの両側で当接して固定されており、抜け止め部２６ｂは給電ピン受金６２ａ、６２ｂの弾性力により固定される。
【００３４】
ここで、給電接触片６１ａ，６１ｂは、給電ピン受金６２ａ，６２ｂからそれぞれ２灯用ランプソケット３０内の電源端子６３ａ，６３ｂに至るまでの間であらかじめ折り曲がった形状に加工され、四角柱の形状の台内部で絶縁壁６６ａ，６６ｂを伝うように配設されている。同様に、接地接触片６１ｃは、接地ピン受金６２ｃから２灯用ランプソケット筐体３１内の接地端子６３ｃに至るまでの間であらかじめ折り曲がった形状に加工され絶縁壁６６ｃを伝うように配設されている。このため、電源端子６３ａ，６３ｂの間は絶縁壁６６ａで、電源端子６３ｂと接地端子６３ｃの間は絶縁壁６６ｂ，６６ｃで電気的に絶縁される。このように、ソケット内で電源端子６３ａ，６３ｂ及び接地端子６３ｃはそれぞれ絶縁壁６６ａ，６６ｂ，６６ｃに固定されるとともに絶縁されているので、点灯中に地震などでこれら端子が左右に揺れることがあっても、端子同士の接触を防ぐことができる。
【００３５】
また、給電接触片６１ａ，６１ｂ及び接地接触片６１ｃは、電源端子６３ａ，６３ｂ及び接地端子６３ｃが２灯用ランプソケット３０の下部中央に来るように折れ曲っているので、電源端子６３ａ，６３ｂ及び接地端子６３ｃが納められている２灯用ランプソケット３０の内部を小さく抑え、左右の開きスペースを削減することができる。
【００３６】
以上のように、本発明は、直管形ＬＥＤランプ２０の接地側口金２１が装着される接地側受部３３と、接地側口金２１とは異なる形状の給電側口金２４が装着される給電側受部３２とを有した一体型のランプソケットを備えるように構成したので、金型数を低減できるという効果がある。また、給電側受部３２と接地側受部３３とを一体的に連設させたので、同じランプソケットを２つ用いることで照明装置１０を構成することができる。すなわち、ランプソケットの種類を１種類とすることができるので、管理する部品数を減らすことができ、工場での在庫管理の簡便化できる。
【００３７】
また、図８に図示する従来の照明装置では給電用ランプソケット１３０と接地用ランプソケット(図示せず)をそれぞれ別に製作し、本体にそれぞれ取り付けていたため計４個のソケットを取り付ける必要があり、取り付け作業工数が増えていたが、本発明では接地側口金２１と給電側口金２４を一体にしたランプソケット３０としたので、計２個のソケットを照明装置筐体１１の直管形ＬＥＤランプ２０の左右両端に位置するところに取り付けるだけで済むので、取り付け作業工程数を削減できる。
【００３８】
なお、実施の形態１では、給電側受部３２及び接地側受部３３を構成する３つの金属片６０ａ，６０ｂ，６０ｃがそれぞれ２灯用ランプソケット３０の中央部に向かって折れ曲がっている構成について説明したが、金属片６０ａ，６０ｂ又は金属片６０ｃの少なくともどちらか１つの受部が、もう１つの受部の方向に折り曲がっていればよい。少なくとも一方の受部内部の金属片を折り曲げて、他方の受部内部の金属片に近づけることにより、ランプソケット３０の下部の電源端子６３ａ，６３ｂ及び接地端子６３ｃが設けられている空間を省スペース化することができる。
【００３９】
実施の形態２．
実施の形態１では、直管形ＬＥＤランプ２０を２本装着できる２灯用ランプソケット３０を両端に有した照明装置１０について説明したが、直管形ＬＥＤランプ２０を偶数本（２Ｎ  Ｎ≧２）装着することができるランプソケットを備えた照明装置でも構わない。本実施の形態２では直管形ＬＥＤランプ２０を４本装着可能なランプソケット７０について説明する。
【００４０】
図６は実施の形態２に係る４灯用ランプソケット７０の組立後を示す図であり、（ａ）は正面図、（ｂ）はその背面図である。実施の形態１で説明したと同様に、４灯用ランプソケット７０は、ランプが接続される側である前面に４灯用ランプソケットカバー７１、ランプ長手方向後方に複数の回転子４０(図示なし)と複数の金属片６０(図示なし)、及び複数の給電側受部３２及び複数の接地側受部３３、これらを後面から挟み込んで４灯用ランプソケットカバー７１内に収納する裏面カバー８０から構成されている。
このように、それぞれＮ個(Ｎ＝２，３・・・)の給電側受部３２と接地側受部３３とを交互に同数並べて一体型の２Ｎ灯用ランプソケットに有していれば、この一体型の２Ｎ灯用ランプソケットを対向させて配置することによって、直管形ＬＥＤランプ２０を互い違いの方向に２Ｎ本装着することが可能となる。
【００４１】
図７は実施の形態２に係る４灯用ランプソケット７０の裏面カバー８０を取り除いた状態の正面図である。前述した２灯用ランプソケット３０と同様に、給電接触片６１ａ，６１ｂは、給電ピン受金６２ａ，６２ｂからそれぞれ４灯用ランプソケット７０内の電源端子６３ａ，６３ｂに至るまでの間で、あらかじめ折り曲がった形状に加工され絶縁壁６６ａ，６６ｂを伝うように配設されており、各電源端子間はそれぞれ電気的に絶縁されている。同様に、接地接触片６１ｃは、接地ピン受金６２ｃから４灯用ランプソケット７０内の接地端子６３ｃに至るまでの間であらかじめ折り曲がった形状に加工され絶縁壁６６ｃを伝うように配設されており、各電源端子間は電気的に絶縁されている。
実施の形態１と比較すると、ソケットに装着できる直管形ＬＥＤランプ２０の本数が２本から４本に増えたことに伴い給電側受部３２及び接地側受部３３の数が増えたこと、裏面カバー側嵌合部５２とカバー側嵌合部３７の位置や数に違いは生じているが、凸部である裏面カバー側嵌合部５２と凹部であるカバー側嵌合部３７とを嵌合し、略箱体を形成することは、実施の形態１と同様である。なお、４灯用ランプソケット７０内の各電源端子６３ａ，６３ｂ，接地端子６３ｃは共通した電位であれば必要に応じて共通接続しても良いし、状況に応じて任意でよい。
【００４２】
本発明に係る、給電側受部３２と接地側受部３３とを交互に同数並べた一体型のランプソケットを照明装置筐体１１の長手方向の両端部に対向させて配設することで、１種類のランプソケットを複数使用し、直管形ＬＥＤランプ２０を互い違いの方向に装着することができる。
以上のように、本発明によればランプソケットの金型数を低減し、コストの上昇を抑えた照明装置を実現することができる。
【００４３】
なお、上述した実施の形態では直管形ＬＥＤ光源に対応したソケットについて説明したが、本発明はこれに限定するものではなく、異なる形状の口金を有する光源に適用できるものであり、直管形でない光源や有機ＥＬを使った光源についても適用できる。
【符号の説明】
【００４４】
１０  照明装置、１１  照明装置筐体、
２０  直管形ＬＥＤランプ、２０ａ  ランプケース、
２１  接地側口金、２３  接地ピン、
２４  給電側口金、２６  給電ピン、
３０  ２灯用ランプソケット、３１  ２灯用ランプソケットカバー、
３２  給電側受部、３３  接地側受部、
３７  カバー側嵌合部、５２  裏面カバー側嵌合部、
７０  ４灯用ランプソケット、７１  ４灯用ランプソケットカバー
【図１】
0005853726.tif 000002
【図２】
0005853726.tif 000003
【図３】
0005853726.tif 000004
【図４】
0005853726.tif 000005
【図５】
0005853726.tif 000006
【図６】
0005853726.tif 000007
【図７】
0005853726.tif 000008
【図８】
0005853726.tif 000009